(57)【要約】      （修正有）【課題】ダイレータをカニューレの接続部に対して着脱する作業を、迅速かつ正確に行うことが可能な血管拡張具を提供する。【解決手段】案内開口１０２ｐから導入開口１２ｐにかけて、血液が流れることが可能な連通流路１０１が形成してあり、導入開口１２ｐの外周部に循環チューブを着脱自在に接続する接続部が形成してあるカニューレ１０とを備える。また、先細先端部４２ａが少なくとも案内開口１０２ｐから突出するように、連通流路１０１に着脱自在に挿入されるロッド４２を持ち、ロッドの近位端で、ロッドの挿入時に接続部を覆う円筒状のキャップ４４が形成してあるダイレータ４０と、を有して血管拡張具を構成する。さらに、接続部の外周面に半径方向へ突出する環状突起１７が形成され、キャップの開口端側の内周面４８には、環状突起１７に対応する環状凹部を形成し、キャップは、ロッドおよび接続部よりも柔らかくする。【選択図】図２
0003171049.tif 000002
【実用新案登録請求の範囲】
【請求項１】
遠位端に形成された案内開口から、近位端に形成された導入開口にかけて、血液が流れることが可能な連通流路が形成してあり、前記導入開口の外周部に循環チューブを着脱自在に接続する接続部が形成してあるカニューレと、
遠位端に形成された先細先端部が少なくとも前記案内開口から突出するように、前記連通流路に着脱自在に挿入されるロッドを持ち、前記ロッドの近位端で、前記ロッドの挿入時に前記接続部を覆う円筒状のキャップが形成してあるダイレータと、を有する血管拡張具であって、
前記接続部の外周面に半径方向へ突出する環状突起が形成され、前記キャップの開口端側の内周面には、前記環状突起に対応する環状凹部が形成されており、
前記キャップは、前記ロッドおよび前記接続部よりも柔らかいことを特徴とする血管拡張具。
【請求項２】
前記接続部の外周面と、前記キャップの内周面との間には、隙間が形成してあることを特徴とする請求項１に記載の血管拡張具。
【請求項３】
前記接続部の外周面には、前記循環チューブを着脱自在に接続する循環チューブ係合突起が形成され、前記循環チューブ係合突起と前記キャップの内周面との間にも、隙間が形成してあることを特徴とする請求項１または２に記載の血管拡張具。
【請求項４】
前記環状突起の外径は、前記キャップを前記接続部に嵌合させる前の前記環状凹部の外径以上であることを特徴とする請求項１〜３のいずれかに記載の血管拡張具。
【請求項５】
前記環状突起の横断面は、Ｒ形状を有していることを特徴とする請求項１〜４のいずれかに記載の血管拡張具。
【請求項６】
前記カニューレは、前記接続部が形成してあるコネクタと、血管内に挿入されるシースと、前記コネクタと前記シースとを連結する連結筒とを有し、
前記コネクタの遠位端には、前記連結筒と接続する連結筒接続部が形成してあり、前記接続部と前記連結筒接続部との間には、把持部が形成してあり、
前記把持部では、長手方向に沿って複数のフィンが形成され、前記フィンは、長径と短径が異なる円形切欠き形状をしており、短手方向に沿って両端には一対の把持用切欠部が形成してあることを特徴とする請求項１〜５のいずれかに記載の血管拡張具。
【考案の詳細な説明】
【技術分野】
【０００１】
本考案は、血管拡張具に関する。
【背景技術】
【０００２】
一般に、急激に心臓の働きが悪化している心原性ショックの患者に対しては、心肺補助治療を行う必要がある。心肺補助を行う治療法として、経皮的人工心肺装置（ＰＣＰＳ：Percutaneous Cardio Pulmonary Support）が知られている。ＰＣＰＳとは、一般的に、遠心ポンプと膜型人工肺を用いた閉鎖回路の人工心肺装置により、大腿動脈および大腿静脈経由で心肺補助を行うものである。ＰＣＰＳで治療を行う際には、まず、患者の体表から血管内にかけて針で細孔を空け、血管に形成された細孔を拡張させる作業が必要であり、その際に血管拡張具が用いられる。
【０００３】
ＰＣＰＳに用いる血管拡張具として、カニューレと、カニューレに挿入するダイレータを組み合わせて、血管を拡張させることが一般的である（特許文献１参照）。カニューレは、接続部で、ダイレータとの接続、取外しが行われる。その後、カニューレの接続部は、循環チューブと接続される。循環チューブは、人工心肺装置に接続してある。このため、患者の大腿動脈および大腿静脈と、人工心肺装置とが、循環チューブでつながり、血液が循環することにより、ＰＣＰＳで治療を行うことができる。
【０００４】
従来、カニューレの接続部に、孔が形成された柔らかいキャップを取り付けておくことで、ダイレータをカニューレに接続する際の密閉性を確保する技術が知られている。しかしながら、ダイレータのロッドを引き抜いてから、循環チューブをカニューレの接続部に接続するまでの間に、キャップを取り外す必要があり、取り外し作業に時間がかかってしまう問題があった。ダイレータを引き抜いてから、循環チューブをカニューレの接続部に接続するまでの間に、手間がかかるほど、患者の血液が漏出する虞が高まる。
【０００５】
また、接続部と嵌合できる形状で、比較的硬度の高い（接続部と同程度の硬度）キャップを、ロッドに一体的に形成しておき、ダイレータのキャップをカニューレの接続部に接続する技術が知られている。しかしながら、この技術では、ダイレータを接続時する力が弱いとガタつきが生じるので、ダイレータをしっかりと接続する必要がある。このためには、比較的大きな力を要し、使い勝手が悪い。しかも、操作者が、正確な接続位置を把握しづらいという問題を有していた。また、いったんダイレータをカニューレに取付けた後には、ダイレータをカニューレから抜き取る際に比較的大きな力を要し、この場合にも使い勝手が悪い。
【先行技術文献】
【特許文献】
【０００６】
【特許文献１】特開２００９−２６８６３０号公報
【考案の概要】
【考案が解決しようとする課題】
【０００７】
本考案は、このような実状に鑑みてなされ、その目的は、ダイレータをカニューレの接続部に対して着脱する作業を、迅速かつ正確に行うことが可能な血管拡張具を提供することである。
【課題を解決するための手段】
【０００８】
上記目的を達成するために、本考案に係る血管拡張具は、
遠位端に形成された案内開口から、近位端に形成された導入開口にかけて、血液が流れることが可能な連通流路が形成してあり、前記導入開口の外周部に循環チューブを着脱自在に接続する接続部が形成してあるカニューレと、
遠位端に形成された先細先端部が少なくとも前記案内開口から突出するように、前記連通流路に着脱自在に挿入されるロッドを持ち、前記ロッドの近位端で、前記ロッドの挿入時に前記接続部を覆う円筒状のキャップが形成してあるダイレータと、を有する血管拡張具であって、
前記接続部の外周面に半径方向へ突出する環状突起が形成され、前記キャップの開口端側の内周面には、前記環状突起に対応する環状凹部が形成されており、
前記キャップは、前記ロッドおよび前記接続部よりも柔らかいことを特徴とする。
【０００９】
本考案では、ダイレータのキャップは、ロッドおよび接続部よりも柔らかいため、ダイレータを、カニューレの接続部に接続および接続解除する際に、大きな力を必要としない。接続の際に、比較的柔らかい環状凹部が、環状凹部よりも硬い環状突起を締め付けるため、カニューレとダイレータとの接続を確実に行うことができる。しかも、接続の際、環状凹部が環状突起を乗り越える時に、操作者はキャップを通して適度な抵抗感を得ることができ、環状突起と環状凹部とが嵌合する際には、この抵抗感が急激に小さくなり、操作者は、正確な接続位置でクリック感を得ることができる。このため、操作者は、接続の状態およびタイミングを容易に把握することができる。したがって、ダイレータをカニューレの接続部に接続する作業を、迅速かつ正確に行うことができる。
【００１０】
また、ダイレータには、キャップが一体的に形成されているため、ダイレータとカニューレとの接続の解除を迅速に行うことができ、循環チューブをカニューレの接続部へ迅速に接続することができる。
【００１１】
好ましくは、前記接続部の外周面と、前記キャップの内周面との間には、隙間が形成してある。
【００１２】
この隙間は、環状突起と環状凹部とを嵌合させる際、および嵌合解除の際に、操作者が、キャップを軽くつぶすように操作することができるためのスペースとなる。その結果、環状凹部を含むキャップが弾性変形して環状凹部の内径が適度に拡張し、隙間に存在している空気がキャップの開口端から外部へ瞬時に押し出される。したがって、接続部の環状突起に対して、キャップの環状凹部を、比較的に軽い抵抗で嵌合させることができると共に、嵌合を解除させることも容易である。したがって、接続時および接続解除時の操作性が良好で、しかも迅速に行うことができる。
【００１３】
好ましくは、前記接続部の外周面には、前記循環チューブを着脱自在に接続する循環チューブ係合突起が形成され、前記循環チューブ係合突起と前記キャップの内周面との間にも、隙間が形成してある。
【００１４】
循環チューブ係合突起とキャップの内周面との間にも、隙間が形成してあることで、操作者は、より大きくキャップを押しつぶすことができ、環状凹部と環状突起の接続および接続解除の際の抵抗を、より小さくすることができ、操作性がさらに向上し、さらに迅速な接続および接続解除が可能となる。
【００１５】
好ましくは、前記環状突起の横断面は、Ｒ形状を有している。このため、自然な抵抗で、環状凹部が環状突起に嵌合することができる。また、接続時における環状突起と環状凹部との密着性も向上する。
【００１６】
好ましくは、前記環状突起の外径は、前記キャップを前記接続部に嵌合させる前の前記環状凹部の外径以上である。
【００１７】
このように構成することで、接続部の環状突起とキャップの環状凹部とが、適度な力で接続されると共に、嵌合時の環状凹部による締付け力によって密閉性が向上する。さらに、操作者は、キャップを通して、接続部の環状突起とキャップの環状凹部が嵌合した時のクリック感を得ることができ、ダイレータの正確な接続位置を確認できる。
【００１８】
好ましくは、前記カニューレは、前記接続部が形成してあるコネクタと、血管内に挿入されるシースと、前記コネクタと前記シースとを連結する連結筒とを有し、前記コネクタの遠位端には、前記連結筒と接続する連結筒接続部が形成してあり、前記接続部と前記連結筒接続部との間には、把持部が形成してあり、前記把持部では、長手方向に沿って複数のフィンが形成され、前記フィンは、長径と短径が異なる円形切欠き形状をしており、短手方向に沿って両端には一対の把持用切欠部が形成してある。
【００１９】
このように構成することで、カニューレとダイレータの接続時、および接続後の操作時に、操作者は、安定して把持部を指で挟み込むことができ、使用感が向上する。
【図面の簡単な説明】
【００２０】
【図１】図１は、本発明の一実施形態に係る血管拡張具の使用状態を示す説明図である。
【図２】図２は、本発明の一実施形態に係るカニューレとダイレータの断面図である。
【図３】図３は、図２に示すカニューレのコネクタを示す外観図である。
【図４】図４は、図３のIV−IV断面図である。
【図５】図５（Ａ）は、図２に示すキャップの側面図、図５（Ｂ）は、図５（Ａ）に示すキャップを接続部に接続する時の様子を説明する側面模式図である。
【図６】図６は、図２に示すカニューレとダイレータとが接続状態にある時の断面図である。
【図７】図７は、ダイレータのロッドを、カニューレの連通流路に挿入して使用している状態を示す断面模式図である。
【図８】図８は、図２に示すカニューレの接続部に、循環チューブを接続した状態を示す断面図である。
【考案を実施するための形態】
【００２１】
本発明の一実施形態に係るカニューレ１０ａ，１０ｂが、人工肺回路に接続されている様子を図１に示す。ＰＣＰＳシステム１は、コントローラ２、遠心ポンプ４、ドライブモータ６、酸素供給器７、人工肺８を有している。
【００２２】
患者５の大腿静脈から導出されているカニューレ１０ａは、循環チューブ９ａの一端と接続される。循環チューブ９ａの他端は遠心ポンプ４に接続されている。遠心ポンプ４は、ドライブモータ６によって可動可能になっている。遠心ポンプ４は、人工肺８と接続してある。人工肺８は、チューブ３ａを介して酸素供給器７と接続してある。人工肺８は、循環チューブ９ｂを介して、患者５の大腿動脈から導出してあるカニューレ１０ｂに接続してある。上述した機器は、コントローラ２によって制御されている。なお、ＰＣＰＳシステム１における血液循環回路を、図１に矢印で示してある。
【００２３】
次に、図２を用いて、ＰＣＰＳシステムでの使用前の状態におけるカニューレ１０と、カニューレ１０に接続されるダイレータ４０の説明を行う。
【００２４】
カニューレ１０は、略円筒状をしている。カニューレ１０には、遠位端に形成された案内開口１０２ｐから、近位端に形成された導入開口１２ｐにかけて、連通流路１０１が形成されている。連通流路１０１には、先端先細形状部４２ａを有する棒状のロッド４２が挿入可能になっている。
【００２５】
カニューレ１０は、長手方向に沿って、遠位端から近位端へ向かって、シース１０２と、シース１０２が接続されたシース接続部１０４と、シース接続部１０４に接続された連結筒１０６と、連結筒１０６が接続してあるコネクタ１２とを有している。
【００２６】
シース１０２の近位端１０２ａは、シース接続部１０４の遠位端に接続されている。シース接続部１０４の近位端には、連結筒１０６の遠位端１０６ａが接続されている。連結筒１０６の近位端１０６ｂは、コネクタ１２の連結筒接続部１２ａと接続されている。
【００２７】
図３に示すように、コネクタ１２は、遠位端から順に、連結筒接続部１２ａ、把持部１２ｂ、循環チューブ側接続部１２ｃを有している。コネクタ１２のサイズは、長手方向の全長Ｌ１が、４８ｍｍ〜７２ｍｍであることが好ましい。コネクタ１２の材質としては、特に限定されないが、ポリカーボネート、ＰＶＣ、ＡＢＳ樹脂等、透明な材料が好ましい。
【００２８】
コネクタ１２の連結筒接続部１２ａには、長手方向に沿って２個のフック状凸部１３ａ，１３ｂが形成されている。図３に示すように、フック状凸部１３ａ，１３ｂは、近位端に向けて外径が大きくなっている。フック状凸部１３は、連結筒１０６の内周面に食い込み、コネクタ１２から連結筒１０６が抜けてしまうことを防止している。図３に示すように、連結筒接続部１２ａには、外径Ｄ１の遠位側フランジ１４が形成されており、図２に示すように、連結筒１０６のストッパとして機能している。
【００２９】
図３に示すように、コネクタ１２の把持部１２ｂには、等間隔に４個のフィン１５が形成されている。それぞれのフィン１５は、図４に示すように、フィン１５は、長径と短径が異なる円形切欠き形状をしており、短手方向に沿って両端には、一対の把持用切欠部１５ａ，１５ｂが形成してある。好ましくは、全てのフィン１５において、短手方向幅が同じである。図３に示すように、４個のフィン１５よりも近位側には、外径Ｄ２の近位側フランジ１６が形成されている。好ましくは、遠位側フランジ１４の外径Ｄ１と、近位側フランジ１６の外径Ｄ２との関係は、Ｄ１＝Ｄ２であるが、特に限定されない。
【００３０】
コネクタ１２の循環チューブ側接続部１２ｃは、外径Ｄ３を有している。コネクタ１２の循環チューブ側接続部１２ｃには、循環チューブストッパフランジ１８に隣接して、外径Ｄ４を有する環状突起１７が形成されている。環状突起１７の横断面は、曲率半径Ｒで滑らかに曲がっていることが好ましい。なお、横断面とは、環状突起１７の長手方向を横断する方向における断面である。
【００３１】
コネクタ１２の導入開口１２ｐから、環状突起１７の遠位端までを含む循環チューブ側接続部１２ｃの長手方向長さＬ２＝１９ｍｍ〜２５ｍｍであることが好ましい。環状突起１７の長手方向長さＬ３＝０．６ｍｍ〜２．０ｍｍであることが好ましい。環状突起１７の突出高さＨ１すなわち（Ｄ４−Ｄ３）／２は、０．３ｍｍ〜１．０ｍｍであることが好ましい。
【００３２】
環状突起１７の近位端に隣接する循環チューブストッパフランジ１８は、図８に示すように、循環チューブ９のストッパとしての役割を果たしている。
【００３３】
図３に示すように、循環チューブ側接続部１２ｃには、長手方向に沿って２個のフック状凸部１９ａ，１９ｂが形成されている。図３に示すように、フック状凸部１９ａ，１９ｂは、遠位端に向けて外径が大きくなっている。図８に示すように、フック状凸部１９は、循環チューブ９の内周面に食い込み、コネクタ１２の循環チューブ側接続部１２ｃから循環チューブ９が抜けてしまうことを防止している。
【００３４】
図２に示すように、ダイレータ４０は、遠位端に先細形状部４２ａを有する棒状のロッド４２と、ロッド４２の近位端で、図６に示すようにダイレータ４０とコネクタ１２との接続時に、接続部１２ｃを覆う円筒状のキャップ４４を有している。図２および図６に示すように、キャップ４４は、内径Ｄ６を有している。キャップ４４の内周面４８と、コネクタ１２の循環チューブ側接続部１２ｃとの隙間の大きさＧ１すなわち（Ｄ６−Ｄ３）／２は、０．３ｍｍ〜０．９ｍｍであることが好ましい。また、フック状凸部１９と、キャップ４４の内周面４８との隙間は、０．１ｍｍ〜０．４ｍｍであることが好ましい。なお、フック状凸部１９と、キャップ４４の内周面４８との隙間は、上述した隙間Ｇ１より小さい。
【００３５】
キャップ４４の内周面には、ダイレータ４０とコネクタ１２との接続時に、コネクタ１２に形成してある環状突起１７に対応する位置に、環状凹部４６が形成してある。環状凹部４６は、内径Ｄ７を有している。内径Ｄ７は、１２．８ｍｍ〜１４．０ｍｍであることが好ましい。環状突起１７の外径Ｄ４は、コネクタ１２にダイレータ４０を接続する前の環状凹部４６の内径Ｄ７以上であることが好ましい。好ましくは、環状突起１７の外径Ｄ４は、コネクタ１２にダイレータ４０を接続する前の環状凹部４６の内径Ｄ７に比較してほぼ同じか０．６ｍｍまで大きいことが好ましい。また、環状凹部４６は、長手方向長さＬ５を有している。環状突起１７の長手方向長さＬ３は、コネクタ１２にダイレータ４０を接続する前の環状凹部４６の長手方向長さＬ５以上であることが好ましい。好ましくは、環状突起１７の長手方向長さＬ３は、コネクタ１２にダイレータ４０を接続する前の環状凹部４６の長手方向長さＬ５に比較してほぼ同じか０．５ｍｍまで大きいことが好ましい。
【００３６】
キャップ４４の円筒部４４ａの内周面において、図２に示す円筒内側の近位端から環状凹部４６までの長さＬ４は、図３に示す循環チューブ側接続部１２ｃの長手方向長さＬ２と同じか、Ｌ２より大きいことが好ましい。好ましくは、Ｌ２は、Ｌ４に比較してほぼ同じか３．０ｍｍまで大きいことが好ましい。
【００３７】
キャップ４４は、比較的柔らかい材料を用いることが好ましい。キャップ４４の材質としては、特に限定されないが、ＳＥＢＳ、ＳＥＰＳ、ポリアミドエラストマー、ポリエステルエラストマー、ポリウレタンなどの熱可塑性エラストマーや、ＰＶＣ、ポリオレフィン等を用いることが好ましい。
【００３８】
ロッド４２の材質としては、特に限定されないが、フッ素樹脂、ポリオレフィン等を用いることが好ましい。コネクタ１２の材質としては、特に限定されないが、ポリカーボネート、ＰＶＣ、ＡＢＳ樹脂等、透明な材料を用いることが好ましい。キャップ４４は、ロッド４２，コネクタ１２よりも柔らかい。
【００３９】
また、カニューレ１０のシース１０２の材質としては、特に限定されないが、フッ素樹脂、ポリオレフィン等を用いることが好ましい。シース接続部１０４の材質としては、特に限定されないが、ポリカーボネート、ＰＶＣ等を用いることが好ましい。連結筒１０６の材質としては、特に限定されないがＡＢＳ樹脂等、透明な材料を用いることが好ましい。連結筒１０６は、シース１０２，シース接続部１０４に比較して柔らかいことが好ましい。
【００４０】
コネクタ１２にダイレータ４０を接続する際、特に、環状突起１７に環状凹部４６を嵌合させる際、および嵌合を解除する際は、図５（Ｂ）に模式的に示すように、操作者がキャップ４４の円筒部４４ａを軽く握ることにより、環状凹部４６が外径方向へ拡大し、環状凹部４６の内径がＤ７’に拡大する（Ｄ７＜Ｄ７’）。
【００４１】
次に、本実施形態の血管拡張具の使用方法について説明する。
【００４２】
まず、患者の皮膚７２の上から、穿刺針を突き刺し（図示省略）、その先端を、動脈（または静脈）血管７４内に位置させる。次に、穿刺針の内側に挿入してあるスタイレットを抜き出し、スタイレットを抜き出した穴から、ガイドワイヤー６２を血管７４内に挿入する。
【００４３】
次に、挿入したガイドワイヤー６２に沿って、穿刺針を抜き出し、その後、カニューレ１０のシース１０２をガイドワイヤー６２に沿って血管の挿入口７６に差し込む。この時以降の一連の手順において、操作者は、コネクタ１２の把持部１２ｂを指で挟み込んで操作を行う。次に、ダイレータ４０をガイドワイヤー６２に沿って血管の挿入口７６に差し込み、ロッド４２の先端先細形状部４２ａが、シース１０２の案内開口１０２ｐから飛び出すように（図７に示す）、カニューレ１０とダイレータ４０とを接続する。接続の際、操作者が、キャップ４４の円筒部４４ａを軽く握ることにより、環状突起１７と環状凹部４６とが嵌合する。ダイレータ４０のロッド４２の先端先細形状部４２ａを挿入口７６に差し込むことにより、挿入口７６が押し広げられる。
【００４４】
次に、操作者が、キャップ４４の円筒部４４ａを軽く握ることにより、環状突起１７と環状凹部４６の嵌合が解除されると共に、ダイレータ４０を、ガイドワイヤー６２に沿って引き抜く。そして、図８に示すように、コネクタ１２の循環チューブ側接続部１２ｃに、循環チューブ９を接続する。このようにして、図１に示すＰＣＰＳシステム１における血液循環回路が構成される。
【００４５】
本実施形態では、ダイレータ４０のキャップ４４は、ロッド４２およびコネクタ１２の接続部（循環チューブ側接続部１２ｃ）よりも柔らかいため、ダイレータ４０を、カニューレ１０の循環チューブ側接続部１２ｃに接続および接続解除する際に、大きな力を必要としない。接続の際に、比較的柔らかいキャップ４４の環状凹部４６が、環状凹部４６よりも硬い環状突起１７を締め付けるため、カニューレ１０とダイレータ４０との接続を確実に行うことができる。しかも、接続の際、環状凹部４６が環状突起１７を乗り越える時に、操作者はキャップ４４を通して適度な抵抗感を得ることができ、環状突起１７と環状凹部４６とが嵌合する際には、この抵抗感が急激に小さくなり、操作者は、正確な接続位置でクリック感を得ることができる。このため、操作者は、カニューレ１０とダイレータ４０との接続の状態およびタイミングを容易に把握することができる。したがって、ダイレータ４０をカニューレ１０の循環チューブ側接続部１２ｃに接続する作業を、迅速かつ正確に行うことができる。
【００４６】
また、ダイレータ４０には、キャップ４４が一体的に形成されているため、ダイレータ４０とカニューレ１０との接続の解除を迅速に行うことができ、循環チューブ９をカニューレ１０の循環チューブ側接続部１２ｃへ迅速に接続することができる。
【００４７】
キャップ４４の内周面４８と、コネクタ１２の循環チューブ側接続部１２ｃとの隙間Ｇ１は、環状突起１７と環状凹部４６とを嵌合させる際、および嵌合解除の際に、操作者が、キャップ４４の円筒部４４ａを軽くつぶすように操作することができるためのスペースとなる。その結果、環状凹部４６を含むキャップ４４が弾性変形して環状凹部４６の内径が、図５に示すＤ７からＤ７’へと適度に拡張し、隙間に存在している空気がキャップの開口端４９から外部へ瞬時に押し出される。したがって、循環チューブ側接続部１２ｃの環状突起１７に対して、キャップ４４の環状凹部４６を、比較的に軽い抵抗で嵌合させることができると共に、嵌合を解除させることも容易である。したがって、カニューレ１０とダイレータ１０との接続時および接続解除時の操作性が良好で、しかも迅速に行うことができる。
【００４８】
循環チューブ係合突起１９ａ，１９ｂと、キャップ４４の内周面４８との間にも、隙間が形成してあることで、操作者は、より大きくキャップ４４の円筒部４４ａを押しつぶすことができ、環状凹部４６と環状突起１７の接続および接続解除の際の抵抗を、より小さくすることができ、操作性がさらに向上し、さらに迅速な接続および接続解除が可能となる。
【００４９】
環状突起１７の横断面は、Ｒ形状を有しているため、自然な抵抗で、環状凹部４６が環状突起１７に嵌合することができる。また、カニューレ１０とダイレータ１０との接続時における環状突起１７と環状凹部４６との密着性も向上する。
【００５０】
環状突起１７の外径Ｄ４を、キャップ４４を循環チューブ側接続部１２ｃに嵌合させる前の環状凹部１７の内径Ｄ７以上になるように構成することで、循環チューブ側接続部１２ｃの環状突起１７とキャップ４４の環状凹部４６とが、適度な力で接続されると共に、嵌合時の環状凹部４６による締付け力によって密閉性が向上する。さらに、操作者は、キャップ４４を通して、循環チューブ側接続部１２ｃの環状突起１７とキャップ４４の環状凹部４６が嵌合した時のクリック感を得ることができ、ダイレータ４０の正確な接続位置を確認できる。
【００５１】
上述した構成にすることで、カニューレ１０とダイレータ４０の接続時、および接続後の操作時に、操作者は、安定して把持部１２ｂに形成してあるフィン１５を指で挟み込むことができ、使用感が向上する。
【符号の説明】
【００５２】
９…循環チューブ
１０…カニューレ
１２…コネクタ
１２ａ…連結筒接続部
１２ｂ…把持部
１５…フィン
１５ａ，１５ｂ…把持用切欠部
１２ｃ…循環チューブ側接続部
１２ｐ…導入開口
１７…環状突起
１９ａ，１９ｂ…循環チューブ係合突起
１０１…連通流路
１０２…シース
１０２ｐ…案内開口
１０６…連結筒
４０…ダイレータ
４２…ロッド
４２ａ…先細先端部
４４…キャップ
４６…環状凹部
Ｇ１…キャップ４４の内周面４８と循環チューブ側接続部１２cとの隙間
【図１】
0003171049.tif 000003
【図２】
0003171049.tif 000004
【図３】
0003171049.tif 000005
【図４】
0003171049.tif 000006
【図５】
0003171049.tif 000007
【図６】
0003171049.tif 000008
【図７】
0003171049.tif 000009
【図８】
0003171049.tif 000010